(57)【要約】      （修正有）【課題】ストーマ装具の交換を行う際に使用済みのストーマ装具の観察記録を残せるとともに、使用済みのストーマ装具を臭いの漏れを防ぎながらプライバシーを守ることを可能とするストーマ装具使用記録ノートを提供する。【解決手段】重ねて綴じられた多数の台紙を含み、１枚の台紙が一回の使用に対応する台紙部を備えるストーマ装具使用記録ノート１０であって、各台紙は、台紙の半分の全体の所定領域に設けられ、ストーマ装具の使用記録をつけるためのメモ欄部２３と、台紙の残り半分の全体の所定領域に取り付けられ、使用済みのストーマ装具を収納する袋であり開口部を開閉自在に密封可能なプラスチック製袋部２６と、を備え、プラスチック製袋部２６に収容されたストーマ装具は隠された状態で収容される。【選択図】図１
2019014206.tif 000002
【特許請求の範囲】
【請求項１】
重ねて綴じられた多数の台紙を含み、１枚の台紙が一回の使用に対応する台紙部を備えるストーマ装具使用記録ノートであって、
各台紙は、
台紙の半分の全体の所定領域に設けられ、ストーマ装具の使用記録をつけるためのメモ欄部と、
台紙の残り半分の全体の所定領域に取り付けられ、使用済みの前記ストーマ装具を収納する袋であり開口部を開閉自在に密封可能なプラスチック製袋部と、
を備え、
前記プラスチック製袋部に収容された前記ストーマ装具は隠された状態で収容されることを特徴とするストーマ装具使用記録ノート。
【請求項２】
請求項１に記載のストーマ装具使用記録ノートであって、
通常時は折り畳まれた状態で設けられ、前記ストーマ装具の廃棄時に開かれて前記ストーマ装具を収納可能な容器を形成する紙製の廃棄容器部をさらに備え、
前記廃棄容器部は、前記容器内に尿を溜めた際に計量可能な目盛りが表示されていることを特徴とするストーマ装具使用記録ノート。
【請求項３】
請求項１に記載のストーマ装具使用記録ノートであって、
一枚の紙部材で構成されて設けられ、前記ストーマ装具の廃棄時に組み立てられて前記ストーマ装具を収納可能な容器を形成する紙製の廃棄容器部をさらに備え、
前記廃棄容器部は、前記紙部材を谷折りすることで底部が形成され、谷折り線に交わる方向に平行な前記紙部材の端部が接着されて形成されることを特徴とするストーマ装具使用記録ノート。
【請求項４】
請求項１に記載のストーマ装具使用記録ノートであって、
前記プラスチック製袋部は、内部を視認できないように隠す秘匿部を有することを特徴とするストーマ装具使用記録ノート。
【発明の詳細な説明】
【技術分野】
【０００１】
本発明は、ストーマ装具使用記録ノートに関する。
【背景技術】
【０００２】
消化管や尿路を手術で体外に誘導して造設した排泄口（ストーマ）を保有するオストメイト（ストーマ保有者）は、ストーマにパウチ（便や尿を収容する袋）を有するストーマ装具を装着し、パウチに便や尿を一時的に収容するが、トイレで排泄物を廃棄し、数日おきにストーマ装具を交換しながら生活している。
【０００３】
本発明に関連する技術として、例えば、特許文献１には、一日枠があり、この一日枠の中に月日、曜日欄と、座標欄、備考欄があり、座標欄には横軸もしくは縦軸に２４時間の時刻表示部を、縦軸もしくは横軸に痛みの度合表示部を設け、このような表示のある一日枠を用紙に連続して設けてなる痛みノートが開示されている。
【先行技術文献】
【特許文献】
【０００４】
【特許文献１】特許第３０８５３６８号公報
【発明の概要】
【発明が解決しようとする課題】
【０００５】
ストーマ装具の交換を行う際に、剥がされたストーマ装具の面板の裏側を観察する必要がある。面板に塗られた皮膚保護材の溶解または膨潤の程度が許容範囲を超えている場合には、排泄物の漏れなどの原因となり、皮膚障害を起こしてしまう可能性があるからである。ストーマ装具が患者に適したものであるかを調べるために、継続的な観察記録をすることが求められる。
【０００６】
また、ストーマ装具の交換時にトイレで排泄物を廃棄した後、使用済みのストーマ装具を捨てる必要があるが臭いの漏れを防ぎつつ、プライバシーを守った状態でゴミ捨て場等に捨てることが求められる。
【０００７】
本発明の目的は、ストーマ装具の交換を行う際に使用済みのストーマ装具の観察記録を残せるとともに、使用済みのストーマ装具を臭いの漏れを防ぎながらプライバシーを守ることを可能とするストーマ装具使用記録ノートを提供することである。
【課題を解決するための手段】
【０００８】
本発明に係るストーマ装具使用記録ノートは、重ねて綴じられた多数の台紙を含み、１枚の台紙が一回の使用に対応する台紙部を備えるストーマ装具使用記録ノートであって、各台紙は、台紙の半分の全体の所定領域に設けられ、ストーマ装具の使用記録をつけるためのメモ欄部と、台紙の残り半分の全体の所定領域に取り付けられ、使用済みの前記ストーマ装具を収納する袋であり開口部を開閉自在に密封可能なプラスチック製袋部と、を備え、前記プラスチック製袋部に収容された前記ストーマ装具は隠された状態で収容されることを特徴とする。
【０００９】
また、本発明に係るストーマ装具使用記録ノートであって、通常時は折り畳まれた状態で設けられ、前記ストーマ装具の廃棄時に開かれて前記ストーマ装具を収納可能な容器を形成する紙製の廃棄容器部をさらに備え、前記廃棄容器部は、前記容器内に尿を溜めた際に計量可能な目盛りが表示されていることが好ましい。
【００１０】
また、本発明に係るストーマ装具使用記録ノートであって、一枚の紙部材で構成されて設けられ、前記ストーマ装具の廃棄時に組み立てられて前記ストーマ装具を収納可能な容器を形成する紙製の廃棄容器部をさらに備え、前記廃棄容器部は、前記紙部材を谷折りすることで底部が形成され、谷折り線に交わる方向に平行な前記紙部材の端部が接着されて形成されることが好ましい。
【００１１】
また、本発明に係るストーマ装具使用記録ノートであって、前記プラスチック製袋部は、内部を視認できないように隠す秘匿部を有することが好ましい。
【発明の効果】
【００１２】
本発明によれば、メモ欄部に使用済みのストーマ装具の観察記録をつけることができるとともに、廃棄容器部に使用済みのストーマ装具を隠した状態で収納しつつ臭いが漏れないように密封することができる。
【図面の簡単な説明】
【００１３】
【図１】本発明の実施形態のストーマ装具使用記録ノートを示す図である。
【図２】本発明の実施形態のストーマ装具使用記録ノートの廃棄容器部の拡大斜視図である。
【図３】本発明の実施形態のストーマ装具使用記録ノートの第１変形例を示す図である。
【図４】本発明の実施形態のストーマ装具使用記録ノートの第２変形例を示す図である。
【図５】本発明の実施形態において、ストーマ装具使用記録ノートによる観察記録対象のストーマ装具を示す図である。
【発明を実施するための形態】
【００１４】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１５】
図１は、ストーマ装具使用記録ノート１０を示す図である。図２は、ストーマ装具使用記録ノート１０の廃棄容器部２８の拡大斜視図であり、図２（ａ）は廃棄容器部２８を開いた状態を示す図であり、図２（ｂ）は廃棄容器部２８の閉じた状態を示す図である。
【００１６】
ストーマ装具使用記録ノート１０は、重ねて綴じられた多数の台紙を含み、１枚の台紙が一回の使用に対応する台紙部を備える。ストーマ装具使用記録ノート１０は、ストーマ装具５０，６０（図５参照）の交換を行う際に使用済みのストーマ装具５０，６０の観察記録を残せるとともに、使用済みのストーマ装具５０，６０を臭いの漏れを防ぎながらプライバシーを守る機能を有している。
【００１７】
図５（ａ）に示されるストーマ装具５０は、尿路ストーマ（人工膀胱）に装着されるストーマ装具であり、ストーマ孔５２と、面板５１と、逆流防止弁５３と、ストーマ袋５４と、尿排出部５８と、キャップ５９とを備える。ストーマ装具５０は、面板５１とストーマ袋５４とが一体となった単品系装具である。
【００１８】
ストーマ孔５２は、面板５１に開けたストーマサイズの孔である。面板５１は、ストーマ装具５０を体に装着する平板を意味する。ストーマ袋５４は尿を収集する袋である。逆流防止弁５３は、ストーマから流入した尿が逆流することを防止する弁体を含んで構成される。
【００１９】
尿排出部５８は、ストーマ袋５４に収集された尿を排出する排出口を含んで構成される。キャップ５９は、通常時は閉じられて尿が勝手に排出されないような構造となっており、排出時に開かれてストーマ袋５４に収集された尿を排出できるような構造になっている。
【００２０】
図５（ｂ）に示されるストーマ装具６０は、消化管ストーマ（人工肛門）に装着されるストーマ装具である。ストーマ装具６０は、ストーマ孔６２と、面板６１と、ストーマ袋６３と、嵌合部６４と、フランジ部６６と、便排出部６８と、排出口閉鎖具６９とを備える。ストーマ装具６０は、単品系装具であるストーマ装具５０とは異なり、面板６１とストーマ袋６３とが分離した装具である。
【００２１】
ストーマ孔６２は、面板６１に開けたストーマサイズの孔である。面板６１は、ストーマ装具６０を体に装着する平板を意味であり、ストーマ袋６３とは分離可能な構造を有している。面板６１は、ストーマ袋６３のフランジ部６６と嵌合可能な嵌合部６４が形成されている。
【００２２】
ストーマ袋６３には、面板６１の嵌合部６４と嵌合させることが可能なフランジ部６６が形成されている。便排出部６８は、ストーマ袋６３に収集された便を排出する排出口を含んで構成される。排出口閉鎖具６９は、通常時は閉じられて便が勝手に排出されないような構造となっており、排出時に開かれてストーマ袋６３に収集された便を排出できるような構造になっている。
【００２３】
なお、ここでは、単品系装具のストーマ装具５０は尿路ストーマ用の装具であり、二品系装具のストーマ装具６０は消化管ストーマの装具であるものとして説明するが、尿路ストーマ用の装具を二品系装具とし、消化管ストーマ用の装具を単品系装具としてもよい。
【００２４】
ストーマ装具５０，６０は、ストーマを接触する面板５１，６１には、排泄物や粘着性による刺激や密着による閉塞性環境下から皮膚を保護するための皮膚保護剤が塗着されている。オストメイト（ストーマ保有者）が、日常生活において、適切にストーマケアを管理するには、使用済みのストーマ装具５０，６０の面板を剥がして、その裏面を観察して記録することが望ましい。
【００２５】
なぜなら、面板５１，６１の裏の皮膚保護剤の溶解または膨潤の程度を観察することで、ストーマ装具５０，６０の使用が適切であるかどうかを判断できるからである。使用済みのストーマ装具５０，６０の面板裏部分は、白く変化して溶解または膨潤の状態となり、その幅は、例えば、５〜１０ｍｍ程度（正常値）でストーマ装具の取り扱いも選択も最適であると判断することができる。また、面板５１，６１の裏が１０ｍｍを超えて溶解、膨潤している時には、ストーマ装具５０，６０の見直しなどが必要であると判断することもできるが、これらの数値は適宜変更可能である。
【００２６】
ストーマ装具使用記録ノート１０に含まれる台紙部は、複数の台紙２０が重ねられている。各台紙２０は、台紙２０の左半分２２の全体の所定領域に設けられ、ストーマ装具５０，６０の使用記録をつけるためのメモ欄部２３を有する。
【００２７】
メモ欄部２３には、ストーマ装具５０，６０の交換日（年月日）、ストーマ装具５０，６０の製品名、ストーマ装具５０，６０の製品番号等を記載する欄が設けられている。また、メモ欄部２３には、はがした面板の状態について、面板の溶け具合、面板のふやけ程度、ストーマ装具５０，６０の装着度をメモとして記載する欄が設けられている。さらに、メモ欄部２３には、ストーマ装具５０，６０を使用している際に気づいた忘備録などを記載する備考欄が設けられている。
【００２８】
また、各台紙２０は、台紙２０の右半分２４の全体の所定領域に取り付けられ、使用済みのストーマ装具５０，６０を収納する袋であり開口部を開閉自在に密封可能なプラスチック製袋部２６を有している。プラスチック製袋部２６は上部に開口部が設けられた袋であり、開口部付近に密封可能に嵌合可能なジッパーが設けられている。
【００２９】
各台紙２０の右半分２４には、プラスチック製袋部２６とともに取り外し可能なように廃棄容器部２８が設けられている。廃棄容器部２８は、平板状の本体部２８ａと、本体部２８ａ上に設けられ、上面部が開口部を有し、側面及び底面が内側に向けて折り畳み可能な構造を有する箱部２８ｂとを備える紙容器である。また廃棄容器部２８は、内部に使用済みのストーマ装具５０，６０を入れた際に外部から中身が分からないような色（秘匿性を有する色）に着色されている。
【００３０】
廃棄容器部２８は、通常時は図２（ｂ）に示されるように、折り畳まれた状態で設けられ、ストーマ装具５０，６０の廃棄時に図２（ａ）に示されるように、開かれてストーマ装具５０，６０を収納可能な容器を形成する。
【００３１】
廃棄容器部２８は、容器内に尿を溜めた際に計量可能な目盛りが表示されている。これにより、ストーマ装具５０に収集された尿を排出する際に、廃棄容器部２８に尿を入れて、尿の量を図った後、便器に尿を廃棄し、使用済みのストーマ装具５０を廃棄容器部２８内に収納し、廃棄容器部２８を折り畳んで本体部２８ａの上部で蓋をする。
【００３２】
また、上記のように廃棄容器部２８は、外部から内部が視認できないような色に着色されているため、一部にスリットを設けて、このスリット部分のみを透明にすることで内部の尿の量を把握しやすい状態にすることもできる。
【００３３】
なお、ストーマ装具６０は、ここでは便を収集するものとして説明しているため、目盛りは使用する必要はないが、使用済みストーマ装具６０は廃棄容器部２８内に収集することができる。
【００３４】
各台紙２０は、例えば、左半分２２に２つの綴じ穴を設けて、綴じリングを用いて綴じるものとして説明するが、綴じ紐を用いてもよい。また、左半分２２の左端部について接着剤などを用いて接着してもよい。また、各台紙２０の左半分２２と右半分２４の境界には、ミシン目などの切り取り線２５が予め形成されている。これにより、各台紙２０のうち右半分２４を容易に切り取ることができる。
【００３５】
続いて、上記構成のストーマ装具使用記録ノート１０の作用について説明する。ストーマ装具５０，６０を利用するオストメイト又はサポートを行う家族等は、予め定められた所定の期間が経過した後、ストーマ装具５０，６０をストーマから剥がす。消化管ストーマに用いられるストーマ装具６０の場合は、便を便器に流した処理をした後、使用済みストーマ装具６０の面板６１の観察記録をメモ欄部２３に記載する。
【００３６】
また、尿路ストーマに用いられるストーマ装具５０の場合は、尿を廃棄容器部２８に入れて尿の容量を廃棄容器部２８の目盛りを用いて計量する。そして、便器に尿を流して処理をした後、使用済みストーマ装具５０の面板５１の観察記録をメモ欄部２３に記載する。
【００３７】
使用済みストーマ装具５０，６０のいずれもメモ欄部２３に観察記録を終えた後は、廃棄容器部２８の内部にストーマ装具５０，６０を入れて、廃棄容器部２８を折り畳み本体部２８ａの上部で開口部に蓋をする。さらに、プラスチック製袋部２６のチャック（ジッパー）を開いて開口部から使用済みのストーマ装具５０，６０を入れ、プラスチック製袋部２６のチャックを閉じて密封する。
【００３８】
このように、ストーマ装具使用記録ノート１０によれば、メモ欄部２３に記載された観察記録を用いてストーマ装具５０，６０の使用が適切であるかどうかを判断できるかできる。さらに、使用済みのストーマ装具５０，６０は紙製の廃棄容器部２８に包まれているため、排泄物の水分を収集できるとともに、プラスチック製袋部２６のチャックによって密封されているため防臭効果がある。さらに、廃棄容器部２８は外部から内部が視認できないような色に着色されているため、オストメイトのプライバシーを守ることもできる。
【００３９】
次に、ストーマ装具使用記録ノート１０の第１変形例であるストーマ装具使用記録ノート１１について説明する。図３は、ストーマ装具使用記録ノート１１を示す図である。ストーマ装具使用記録ノート１１とストーマ装具使用記録ノート１０との相違は、廃棄容器部３８のみであるため、廃棄容器部３８を中心に説明する。
【００４０】
廃棄容器部３８は、一枚の紙部材で構成される。廃棄容器部３８は、使用済みのストーマ装具５０，６０の廃棄時に組み立てられて、ストーマ装具５０，６０を収納可能な容器を形成する。廃棄容器部３８は、内部に使用済みのストーマ装具５０，６０を入れた際に外部から中身がわからないような色に着色されている。
【００４１】
廃棄容器部３８は、一枚の紙部材を谷折りすることで底部が形成され、谷折り線３８ａに交わる方向に平行な紙部材の端部に接着用のシール部材３８ｃが設けられている。通常時は接着しないようにシールで覆われているが、上述のように谷折りして容器を形成する際にシールをはがして接着面を露出させて紙部材の端部を接着させて容器を形成する。
【００４２】
このように廃棄容器部３８を用いることでも、使用済みのストーマ装具５０，６０を内部に入れて、プラスチック製袋部２６に収納することで防臭効果を持たせつつオストメイトのプライバシーを守ることもできる。したがって、ストーマ装具使用記録ノート１１によってもストーマ装具使用記録ノート１０と同様の効果を奏する。
【００４３】
次に、ストーマ装具使用記録ノート１０の第２変形例であるストーマ装具使用記録ノート１２について説明する。図４は、ストーマ装具使用記録ノート１２を示す図である。ストーマ装具使用記録ノート１２とストーマ装具使用記録ノート１０とは、廃棄容器部が設けられておらず、プラスチック製袋部４８が相違する。
【００４４】
プラスチック製袋部４８は、使用済みのストーマ装具５０，６０を収納する袋であり開口部を開閉自在に密封可能な袋部材である。プラスチック製袋部４８は上部に開口部が設けられた袋であり、開口部付近に密封可能に嵌合可能なジッパー（チャック）が設けられている。
【００４５】
プラスチック製袋部４８は、表面に袋内部が外部から視認できないような模様や色彩などの意匠４８ａが施されている。また、プラスチック製袋部４８は、裏面に袋内部が外部から視認できないような色が着色されたシール部材４８ｂが貼着されている。このシール部材４８ｂは、必要に応じて着脱可能に貼付けられている。
【００４６】
プラスチック製袋部４８は、使用済みのストーマ装具５０，６０を内部に収容して密封可能な状態となっており、外部から内部が見えないように意匠４８ａが施されているため、防臭効果を持たせつつオストメイトのプライバシーを守ることもできる。したがって、ストーマ装具使用記録ノート１２によってもストーマ装具使用記録ノート１０と同様の効果を奏する。
【符号の説明】
【００４７】
１０，１１，１２  ストーマ装具使用記録ノート、２３  メモ欄部、２６  プラスチック製袋部、２８  廃棄容器部、２８ａ  本体部、２８ｂ  箱部、３８  廃棄容器部、３８ａ  谷折り線、３８ｃ  シール部材、４８  プラスチック製袋部、４８ａ  意匠、４８ｂ  シール部材、５０，６０  ストーマ装具、５１，６１  面板、５２  ストーマ孔、５３  逆流防止弁、５４  ストーマ袋、５８  尿排出部、５９  キャップ、６０  ストーマ装具、６２  ストーマ孔、６３  ストーマ袋、６４  嵌合部、６６  フランジ部、６８  便排出部、６９  排出口閉鎖具。
【図１】
2019014206.tif 000003
【図２】
2019014206.tif 000004
【図３】
2019014206.tif 000005
【図４】
2019014206.tif 000006
【図５】
2019014206.tif 000007
【手続補正書】
【提出日】平成29年10月25日(2017.10.25)
【手続補正１】
【補正対象書類名】特許請求の範囲
【補正対象項目名】全文
【補正方法】変更
【補正の内容】
【特許請求の範囲】
【請求項１】
重ねて綴じられた多数の台紙を含み、１枚の台紙が一回の使用に対応する台紙部を備えるストーマ装具使用記録ノートであって、
各台紙は、
台紙の半分の全体の所定領域に設けられ、ストーマ装具の使用記録をつけるためのメモ欄部と、
台紙の残り半分の全体の所定領域に取り付けられ、使用済みの前記ストーマ装具を収納する袋であり開口部を開閉自在に密封可能なプラスチック製袋部と、
を備え、
前記プラスチック製袋部に収容された前記ストーマ装具は隠された状態で収容されることを特徴とするストーマ装具使用記録ノート。
【請求項２】
請求項１に記載のストーマ装具使用記録ノートであって、
前記プラスチック製袋部は、通常時は折り畳まれた状態で設けられ、前記ストーマ装具の廃棄時に開かれて前記ストーマ装具を収納可能な容器を形成する紙製の廃棄容器部を含み、
前記廃棄容器部は、前記容器内に尿を溜めた際に計量可能な目盛りが表示されていることを特徴とするストーマ装具使用記録ノート。
【請求項３】
請求項１に記載のストーマ装具使用記録ノートであって、
前記プラスチック製袋部は、一枚の紙部材で構成されて設けられ、前記ストーマ装具の廃棄時に組み立てられて前記ストーマ装具を収納可能な容器を形成する紙製の廃棄容器部を含み、
前記廃棄容器部は、前記紙部材を谷折りすることで底部が形成され、谷折り線に交わる方向に平行な前記紙部材の端部が接着されて形成されることを特徴とするストーマ装具使用記録ノート。
【請求項４】
請求項１に記載のストーマ装具使用記録ノートであって、
前記プラスチック製袋部は、内部を視認できないように隠す秘匿部を有することを特徴とするストーマ装具使用記録ノート。
【手続補正２】
【補正対象書類名】明細書
【補正対象項目名】０００９
【補正方法】変更
【補正の内容】
【０００９】
また、本発明に係るストーマ装具使用記録ノートであって、前記プラスチック製袋部は、通常時は折り畳まれた状態で設けられ、前記ストーマ装具の廃棄時に開かれて前記ストーマ装具を収納可能な容器を形成する紙製の廃棄容器部を含み、前記廃棄容器部は、前記容器内に尿を溜めた際に計量可能な目盛りが表示されていることが好ましい。
【手続補正３】
【補正対象書類名】明細書
【補正対象項目名】００１０
【補正方法】変更
【補正の内容】
【００１０】
また、本発明に係るストーマ装具使用記録ノートであって、前記プラスチック製袋部は、一枚の紙部材で構成されて設けられ、前記ストーマ装具の廃棄時に組み立てられて前記ストーマ装具を収納可能な容器を形成する紙製の廃棄容器部を含み、前記廃棄容器部は、前記紙部材を谷折りすることで底部が形成され、谷折り線に交わる方向に平行な前記紙部材の端部が接着されて形成されることが好ましい。